(57)【要約】【課題】スムーズな人流を実現し、利用者の安全の確保が求められている。【解決手段】通行領域に設けられる表示装置の表示を制御する制御システムであって、前記通行領域の映像を取得する映像取得装置と、前記映像取得装置が取得した映像から、人の進行方向及び進行人数を算出する映像制御装置と、前記算出された進行方向及び進行人数に基づいて、人を移動させたい方向及び移動させたい人数を算出し、前記表示装置の表示を決定する人流制御装置と、前記人流制御装置の決定に従って前記表示装置を制御する表示制御装置とを備え、前記人流制御装置は、前記算出された人を移動させたい方向及び移動させたい人数に基づいて、前記表示装置を非通行領域にするかを決定し、前記表示制御装置は、前記非通行領域に決定された表示装置が非通行領域のパターンを表示するように制御する。【選択図】図１
2019139498.tif 000002
【特許請求の範囲】
【請求項１】
通行領域に設けられる表示装置の表示を制御する制御システムであって、
前記通行領域の映像を取得する映像取得装置と、
前記映像取得装置が取得した映像から、人の進行方向及び進行人数を算出する映像制御装置と、
前記算出された進行方向及び進行人数に基づいて、人を移動させたい方向及び移動させたい人数を算出し、前記表示装置の表示を決定する人流制御装置と、
前記人流制御装置の決定に従って前記表示装置を制御する表示制御装置とを備え、
前記人流制御装置は、前記算出された人を移動させたい方向及び移動させたい人数に基づいて、前記表示装置を非通行領域にするかを決定し、
前記表示制御装置は、前記非通行領域に決定された表示装置が非通行領域のパターンを表示するように制御することを特徴とする制御システム。
【請求項２】
請求項１に記載の制御システムであって、
前記人流制御装置は、運行情報に基づいて、輸送障害が発生した路線の発着場所に向かう通路を非通行領域に決定することを特徴とする制御システム。
【請求項３】
請求項１に記載の制御システムであって、
前記人流制御装置は、自動改札機の制御状態に基づいて、前記自動改札機の方向変更の過渡期において、当該自動改札機に向かう通路を非通行領域に決定することを特徴とする制御システム。
【請求項４】
請求項１に記載の制御システムであって、
前記人流制御装置は、
通路が交差する領域の中心部を非通行領域に決定し、
前記非通行領域に決定された中心部を囲む領域の表示装置を、前記中心部を周回する方向に人を誘導する通行領域に決定し、
前記表示制御装置は、前記通行領域に決定された表示装置が前記中心部を周回する方向に人を誘導する表示をするように制御することを特徴とする制御システム。
【請求項５】
請求項１に記載の制御システムであって、
前記人流制御装置は、
人流が少ない箇所を非通行領域に決定し、
閑散期であると判定した場合、前記非通行領域を拡大することを特徴とする制御システム。
【請求項６】
通行領域に設けられる表示装置の表示を制御システムが制御する制御方法であって、
前記制御システムは、前記通行領域の映像を取得する映像取得装置と、前記映像取得装置が取得した映像を解析する映像制御装置と、前記表示装置の表示を決定する人流制御装置と、前記表示装置を制御する表示制御装置とを有し、
前記方法は、
前記映像取得装置が、前記通行領域の映像を取得し、
前記映像制御装置が、前記映像取得装置によって取得された映像から、人の進行方向及び進行人数を算出し、
前記人流制御装置が、前記算出された進行方向及び進行人数に基づいて、人を移動させたい方向及び移動させたい人数を算出し、
前記人流制御装置が、前記算出された人を移動させたい方向及び移動させたい人数に基づいて、前記表示装置を非通行領域にするかを決定し、
前記表示制御装置が、前記非通行領域に決定された表示装置が非通行領域のパターンを表示するように制御することを特徴とする制御方法。
【請求項７】
請求項６に記載の制御方法であって、
前記人流制御装置は、運行情報に基づいて、輸送障害が発生した路線の発着場所に向かう通路を非通行領域に決定することを特徴とする制御方法。
【請求項８】
請求項６に記載の制御方法であって、
前記人流制御装置は、自動改札機の制御状態に基づいて、前記自動改札機の方向変更の過渡期において、当該自動改札機に向かう通路を非通行領域に決定することを特徴とする制御方法。
【請求項９】
請求項６に記載の制御方法であって、
前記人流制御装置は、
通路が交差する領域の中心部を非通行領域に決定し、
前記非通行領域に決定された中心部を囲む領域の表示装置を、前記中心部を周回する方向に人を誘導する通行領域に決定し、
前記表示制御装置は、前記通行領域に決定された表示装置が前記中心部を周回する方向に人を誘導する表示をするように制御することを特徴とする制御方法。
【請求項１０】
請求項６に記載の制御方法であって、
前記人流制御装置は、
人流が少ない箇所を非通行領域に決定し、
閑散期であると判定した場合、前記非通行領域を拡大することを特徴とする制御方法。
【発明の詳細な説明】
【技術分野】
【０００１】
本発明は、人流を制御する制御システム及び制御方法に関する。
【背景技術】
【０００２】
この分野の先行技術として特開２０１１−３８３３５号公報（特許文献１）がある。特許文献１には、歩く速さに応じた領域毎に通路や階段を区分し、区分する領域を通行量に応じて調整する。さらには、領域ごとに歩行者の歩速を誘導することによってよりスムーズに人の流れを調整する歩行者誘導システムが記載されている。
【先行技術文献】
【特許文献】
【０００３】
【特許文献１】特開２０１１−３８３３５号公報
【発明の概要】
【発明が解決しようとする課題】
【０００４】
前述した特許文献１では、人を通行させる通行領域の歩行スピードに対する検討がされており、一つの方向への進行スピードが制御される。しかし、非通行領域（人を通行させない領域）を制御することによる人流制御は考慮されていない。
【０００５】
駅においては「路線Ａから路線Ｂに乗り換えるには通路の左側を歩く。」等の経路に関する駅利用者の暗黙の取り決めがあり、普段から鉄道を利用していない人は、そのルールを理解しておらず、混雑している側の通路を歩き、対向する人とぶつかったり、他者のスムーズな人流を阻害することがある。特に、交通弱者や外国人観光客などの利用者でも直感的に理解可能な方法で人流を制御して、スムーズな人流を実現し、利用者の安全の確保が求められている。
【課題を解決するための手段】
【０００６】
本願において開示される発明の代表的な一例を示せば以下の通りである。すなわち、通行領域に設けられる表示装置の表示を制御する制御システムであって、前記通行領域の映像を取得する映像取得装置と、前記映像取得装置が取得した映像から、人の進行方向及び進行人数を算出する映像制御装置と、前記算出された進行方向及び進行人数に基づいて、人を移動させたい方向及び移動させたい人数を算出し、前記表示装置の表示を決定する人流制御装置と、前記人流制御装置の決定に従って前記表示装置を制御する表示制御装置とを備え、前記人流制御装置は、前記算出された人を移動させたい方向及び移動させたい人数に基づいて、前記表示装置を非通行領域にするかを決定し、前記表示制御装置は、前記非通行領域に決定された表示装置が非通行領域のパターンを表示するように制御する。
【発明の効果】
【０００７】
本発明の一態様によれば、スムーズな人流を実現できる。前述した以外の課題、構成及び効果は、以下の実施例の説明によって明らかにされる。
【図面の簡単な説明】
【０００８】
【図１】実施例の人流誘導システムの構成図である。
【図２】実施例の映像制御装置の構成を示す図である。
【図３】実施例の映像データの構成例を示す図である。
【図４】実施例の人流統計データの構成例を示す図である。
【図５】実施例の構内情報データの構成例を示す図である。
【図６】実施例１の人流誘導システムによる処理のフローチャートである。
【図７】実施例２の人流誘導システムによる処理のフローチャートである。
【図８】実施例２の表示装置の表示内容の変化を示す図である。
【図９】実施例２の表示装置の表示内容の変化を示す図である。
【図１０】実施例２の表示装置の表示内容の変化を示す図である。
【図１１】実施例２の表示装置の表示内容の変化を示す図である。
【図１２】実施例２の表示装置の表示内容の変化を示す図である。
【図１３】実施例２の表示装置の表示内容の変化を示す図である。
【図１４】実施例３の駅のプラットホーム間の通路に設置された表示装置による表示内容の変化を示す図である。
【図１５】実施例３の駅のプラットホーム間の通路に設置された表示装置による表示内容の変化を示す図である。
【図１６】実施例４の駅の改札口に設置された表示装置による表示内容の変化を示す図である。
【図１７】実施例４の駅の改札口に設置された表示装置による表示内容の変化を示す図である。
【図１８】実施例４の駅の改札口に設置された表示装置による表示内容の変化を示す図である。
【図１９】実施例５の駅構内に設置された表示装置による表示内容を示す図である。
【図２０】実施例６の駅構内に設置された表示装置による表示内容の変化を示す図である。
【図２１】実施例６の駅構内に設置された表示装置による表示内容の変化を示す図である。
【発明を実施するための形態】
【０００９】
以下、実施例を図面を用いて説明する。
【００１０】
本発明の実施例では、通行者の動きを映像取得装置でリアルタイムに検知し、人流統計データに従って通路に配置された表示装置を制御する。表示装置の制御においては、人を決まった方向に移動させる通行領域と人を通行させない非通行領域とを動的に制御することによって、通行領域における人の通行方向を制御し、非通行領域に人を通行させずに、滞留させる領域とすることで、スムーズな人流を実現する。
【００１１】
＜実施例１＞
図１は、本実施例の人流誘導システムの構成図である。
【００１２】
本実施例の人流誘導システムは、映像取得装置１０１、映像制御装置１０２、人流制御装置１０３及び表示制御装置１０４を有する。映像制御装置１０２、人流制御装置１０３及び表示制御装置１０４の各々は、図２で説明するように、プログラムを実行する計算機によって構成される。
【００１３】
映像取得装置１０１は、駅構内に複数台設置され、リアルタイムに映像を取得し、取得した映像のデータを映像制御装置１０２に送信する機能を有する。例えば、映像取得装置１０１は、駅構内に設置される監視カメラである。
【００１４】
映像制御装置１０２は、映像取得装置１０１より受信した映像データより、データ受信日時、人の進行方向、及び進行人数を含むメタデータを算出し、算出されたメタデータを映像データ１０６に付加して保存する機能を有する。
【００１５】
人流制御装置１０３は、映像データ１０６に基づいて、人を移動させたい方向と移動させたい人数とを算出し、人流統計データ１０７に登録する機能を有する。また、人流制御装置１０３は、構内情報データ１０８より、駅構内の床に配置されている表示装置配置情報と表示装置の現在の表示情報とを取得する。その後、各方向別に進みたい人数の比率に合わせて、表示装置に表示させる進行方向、例えば「東」「西」「南」「北」などの次回表示方向情報を決定する機能を有する。また、人流制御装置１０３は、表示装置の前回表示方向の情報と今回算出した次回表示方向の情報とを比較し、変更が発生した表示装置１０５を抽出する機能を有する。また、人流制御装置１０３は、抽出した表示装置のうち、進行方向の変化が所定の角度（例えば１８０度）以上である場合、急激な方向変更は人流の妨げになると判断し非通行領域を設定する。進行方向の変化が所定の角度を超えない場合、通行領域であると判断する。また、人流制御装置１０３は、決定した進行情報を表示制御装置１０４に送信する機能を有する。
【００１６】
表示制御装置１０４は、人流制御装置１０３より表示方向の情報を受信後、駅構内の床に埋め込まれている複数の表示装置１０５に表示すべき方向を視覚的かつ直感的に理解可能な形式（例えば、矢印）に変換し、表示装置１０５に送信する機能を有する。例えば、表示制御装置１０４は、表示装置１０５の位置が非通行領域であると判断されていれば、今後人流の方向が変わることを認知させられるよう、非通行領域であることや、変更前の方向と変更後の方向の中間の方向の矢印を表示装置１０５に送信する機能を有する。
【００１７】
表示装置１０５は、駅構内の床に複数枚埋め込まれており、表示制御装置１０４より受信した表示データに従って進行方向を伝える情報（例えば、矢印）を表示するための複数のＬＥＤを有する。表示装置１０５は、表示時は、通行領域おいては、表示される矢印によって誘導される路線を意識させる色（例えば、山手線ならうぐいす色）、非通行領域においては、注意を促す色（例えば赤色）を表示することで、視覚に訴えた直感的なインターフェースを実現する。
【００１８】
本実施例の人流誘導システムには、運行管理システム１１０及び改札制御装置１１１が接続されてもよい。
【００１９】
運行管理システム１１０は、人流制御装置１０３に接続されており、列車の運行状況（例えば、輸送障害、遅延、運休など）を提供する。運行管理システム１１０から提供される情報は、主に、後述する実施例３で使用される。
【００２０】
改札制御装置１１１は、人流制御装置１０３に接続されており、自動改札機の動作状態（例えば、入場方向、出場方向、入出場両方向）を提供する。改札制御装置１１１から提供される情報は、主に、後述する実施例４で使用される。
【００２１】
図２は、本発明の実施例の映像制御装置１０２の構成を示す図である。以下、映像制御装置１０２の構成を説明するが、人流制御装置１０３や表示制御装置１０４の構成も同じである。
【００２２】
映像制御装置１０２は、プロセッサ（ＣＰＵ）１１、メモリ１２、補助記憶装置１３及び通信インターフェース１４を有する計算機によって構成される。映像制御装置１０２は、入力インターフェース１５及び出力インターフェース１８を有してもよい。
【００２３】
プロセッサ１１は、メモリ１２に格納されたプログラムを実行する。メモリ１２は、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Dynamic Random Access Memory）のような高速かつ揮発性の記憶素子であり、プロセッサ１１が実行するプログラム及びプログラムの実行時に使用されるデータを一時的に格納する。
【００２４】
補助記憶装置１３は、例えば、磁気記憶装置（ＨＤＤ）、フラッシュメモリ（ＳＳＤ）等の大容量かつ不揮発性の記憶装置である。また、補助記憶装置１３は、プロセッサ１１が実行するプログラムを格納する。すなわち、プログラムは、補助記憶装置１３から読み出されて、メモリ１２にロードされて、プロセッサ１１によって実行される。
【００２５】
通信インターフェース１４は、所定のプロトコルに従って、他の装置との通信を制御するネットワークインターフェース装置である。通信インターフェース１４には、外部ストレージ装置１０が接続される。外部ストレージ装置１０は、磁気記憶装置（ＨＤＤ）やフラッシュメモリ（ＳＳＤ）等の大容量かつ不揮発性の記憶装置を含み、映像データ１０６、人流統計データ１０７及び構内情報データ１０８を格納する。
【００２６】
入力インターフェース１５は、キーボード１６やマウス１７などが接続され、オペレータからの入力を受けるインターフェースである。出力インターフェース１８は、ディスプレイ装置１９やプリンタ３２などが接続され、プログラムの実行結果をオペレータが視認可能な形式で出力するインターフェースである。
【００２７】
プロセッサ１１が実行するプログラムは、リムーバブルメディア（ＣＤ−ＲＯＭ、フラッシュメモリなど）又はネットワークを介して映像制御装置１０２に提供され、非一時的記憶媒体である不揮発性の補助記憶装置１３に格納される。このため、映像制御装置１０２は、リムーバブルメディアからデータを読み込むインターフェースを有するとよい。
【００２８】
映像制御装置１０２は、物理的に一つの計算機上で、又は、論理的又は物理的に構成された複数の計算機上で構成される計算機システムであり、複数の物理的計算機資源上に構築された仮想計算機上で動作してもよい。
【００２９】
また、映像制御装置１０２、人流制御装置１０３及び表示制御装置１０４を、論理的又は物理的に一つの計算機上で構成しても、論理的又は物理的に構成された複数の計算機上で構成してもよい。
【００３０】
図３は、本発明の実施例の映像データ１０６の構成例を示す図である。
【００３１】
映像データ１０６は、日時、進行方向及び人数を含む。日時は、映像が撮影された日時である。進行方向は、当該映像中の人流の進行方向であり、例えば北を０度とした方位で表される。人数は、当該映像中の単位時間あたりで移動した人数である。映像データ１０６は、映像取得装置１０１毎のテーブルで構成されるが、映像取得装置１０１のカラムを設けるなど、映像の撮影場所が分かるように記録してもよい。
【００３２】
図４は、本発明の実施例の人流統計データ１０７の構成例を示す図である。
【００３３】
人流統計データ１０７は、日時、進行方向及び人数を含む。日時は、当該人流データが計測された日時である。進行方向は、当該映像中の人流の進行方向であり、例えば北を０度とした方位で表される。人数は、当該映像中の単位時間あたりで移動した人数である。人流統計データ１０７は、駅構内の通路毎のテーブルで構成されるが、通路のカラムを設けるなど、通路を識別可能に記録してもよい。
【００３４】
人流統計データは、人流制御装置１０３が、算出した人数を曜日や時間帯ごとに統計処理（例えば、平均化）したデータでもよい。
【００３５】
図５は、本発明の実施例の構内情報データ１０８の構成例を示す図である。
【００３６】
構内情報データ１０８は、表示装置番号、配置場所、前回表示方向、次回表示方向及び非通行領域判定を含む。表示装置番号は、進行方向を伝える情報（例えば、矢印）や非通行領域が表示される表示装置１０５を一意に識別するための識別情報である。配置場所は、当該表示装置１０５が設置された場所を示す。前回表示方向は、当該表示装置１０５の現在の表示内容を示す。次回表示方向は、当該表示装置１０５の次の表示内容を示す。非通行領域判定は、当該表示装置１０５の位置が非通行領域に設定されていることを示す。構内情報データ１０８は、次回表示切替時刻を含んでもよい。
【００３７】
図６は、本発明の実施例１の人流誘導システムによる処理のフローチャートである。
【００３８】
まず、駅構内に複数台設置された映像取得装置１０１は、リアルタイムに駅構内の映像を取得し、映像制御装置１０２にデータを送信する（ステップ３１０）。
【００３９】
次に、映像制御装置１０２は、映像取得装置１０１より受信したデータから、データ受信日時、人の進行方向、及び進行人数を算出し、映像データ１０６に保存する（ステップ３１５）。
【００４０】
その後、人流制御装置１０３は、映像データに基づいて、人を移動させたい方向と移動させたい人数とを算出し、非通行領域の形及び大きさを変更する（ステップ３２０）。
【００４１】
そして、表示制御装置１０４は、人流制御装置１０３より表示方向の情報を受信後、表示装置１０５に表示すべき方向を視覚的かつ直感的に理解可能な形式（例えば、矢印）に変換し、表示装置１０５に送信する（ステップ３２５）。
【００４２】
最後に、表示装置１０５は、表示制御装置１０４より受信した表示データに従って進行方向を伝える情報（例えば、矢印）を表示する（ステップ３３０）。表示装置１０５の表示は、通行領域には、矢印による誘導先の路線を意識させる色（例えば、路線図に使用される路線カラー）を用い、非通行領域には、注意を促す色（例えば、赤色）を用いることによって、視覚に訴えかけた直感的なインターフェースを実現するとよい。
【００４３】
以上に説明したように、本発明の実施例１によると、映像データに基づいて表示装置１０５に非通行領域の表示をして、動的に非通行領域の形状及び大きさを変更するので、視覚に訴える直感的なインターフェースによって、スムーズな人流を実現できる。
【００４４】
＜実施例２＞
実施例２は、非通行領域を設ける点で実施例１と異なる。なお、実施例２において、図１〜図６は前述した実施例１と同じであり、相違点を主に説明する。
【００４５】
図７は、本発明の実施例２の人流誘導システムによる処理のフローチャートであり、図６に示すフローチャートのステップ３２０の変形例を示す。
【００４６】
まず、人流制御装置１０３は、映像取得装置１０１より受信したデータから、データ受信日時、人を進行させたい方向及び進行させたい人数を算出し、人流統計データ１０７に保存する（ステップ４２０）。
【００４７】
その後、人流制御装置１０３は、人流統計データ１０７に基づいて、一定時間帯における、方向別の進行させたい人数を取得し、各方向別の進行させたい人数の比率を算出する。さらに、人流制御装置１０３は、駅構内床に配置されている表示装置１０５の配置場所及び表示装置１０５の現在の表示方向を構内情報データ１０８から取得する（ステップ４２５）。
【００４８】
次に、人流制御装置１０３は、方向別の進行させたい人数の比率に合わせて、表示装置１０５に表示させる次回進行方向（例えば「東」「西」「南」「北」）を決定する（ステップ４３０）。
【００４９】
その後、人流制御装置１０３は、表示装置１０５の前回表示方向の情報と今回算出した次回表示方向の情報とを比較し、変更が発生した表示装置１０５を抽出する（ステップ４３５）。
【００５０】
さらに、人流制御装置１０３は、抽出した表示装置１０５のうち、進行方向の変更が所定の角度（例えば１８０度）以上かを判定する（ステップ４４０）。
【００５１】
そして、人流制御装置１０３は、進行方向の変更角度が所定の角度より小さい場合は通行領域と判定する（ステップ４５５）。
【００５２】
また、人流制御装置１０３は、進行方向の変更角度が所定の角度以上である場合、急激な方向変更は人流の妨げになるため、非通行領域とすべきと判定し、構内情報データ１０８の非通行領域判定をＯＮに設定し、表示制御装置１０４にデータを送信する（ステップ４４５）。
【００５３】
その後、表示制御装置１０４は、非通行領域と判断された表示装置１０５に、今後方向が変わることを歩行者に認知させるように、非通行領域となること、及び変更前と変更後の中間の方向を示す視覚的かつ直感的に理解可能な形式（例えば、矢印）に変換し、表示装置１０５に送信する（ステップ４５０）。
【００５４】
図８〜図１３は、実施例２の表示装置１０５の表示内容の変化を示す図である。
【００５５】
図８、図９は、表示装置１０５の表示内容を一気に変化させる態様を示す図である。
【００５６】
例えば、ある日の９時時点の映像データから北方向に８００人、南方向に２００人の人流が算出され、人流統計データ１０７に保存された場合、人流制御装置１０３は、移動人数の比率が北方向に８０%、南方向に２０%であると判定する。この時、南北方向に１０枚、東西方向に１０枚の計１００枚の表示装置１０５が駅構内に設置されている場合、人流制御装置１０３は、図８に示すように、西側の７列（南北方向に計７０枚）の領域５１０の表示装置１０５に北方向への移動を促す「↑」を表示し、東側の３列（南北方向に計３０枚）の領域５２０の表示装置１０５に南方向への移動を促す「↓」を表示するように、表示制御装置１０４に指示する。
【００５７】
図８に示す状態から時間が経過した１０時時点の映像データから北方向に５００人、南方向に５００人の人流が算出され、人流統計データ１０７に保存された場合、人流制御装置１０３は、移動人数の比率が北方向に５０%、南方向に５０%であると判定する。その後、構内情報データ１０８の配置場所を取得し、行（人流方向に垂直な方向）毎の列（人流方向）の数を計算する。そして、計算された列の数に方向毎の人流の割合を乗じて各方向を表示する表示装置１０５の列方向の数を決定する。
【００５８】
そして、人流制御装置１０３は、図９に示すように、西側の５列（南北方向に計５０枚）の表示装置５３０に北方向への移動を促す「↑」を表示し、東側の５列（南北方向に計５０枚）の領域５４０、５５０の表示装置１０５に南方向への移動を促す「↓」を表示するように、表示制御装置１０４に指示する。このとき、矢印の方向が変化する表示装置１０５は、矢印や背景を黄色で表示して、通行人の注意を喚起するとよい。
【００５９】
図１０〜図１３は、表示装置１０５の表示内容を段階的に変化させる態様を示す図である。
【００６０】
映像取得装置１０１からリアルタイムに映像が取得されるため、映像データは随時更新される。人流制御装置１０３は、映像データの更新の都度、映像データ１０６に基づいて、人を移動させたい方向と移動させたい人数とを算出する処理を繰り返し実行する。その結果、各方向別の通行人数は時間の経過とともに変化する。
【００６１】
この時、図８に示す変化前の状態から図１３に示す変化完了時の状態に至るまでの間、領域５６０は時間経過に従って進行方向が１８０度変わるので、移動方向を急に逆転させると、利用者が混乱しスムーズな人流が実現できない。そのため、図１０〜図１３に示すように、表示装置１０５の表示は時間の経過と共に段階的に変更する。具体的には、進行方向が一定角度（例えば１８０度）以上となる領域５５０を非通行領域として、表示装置１０５に「→」又は「←」を表示し、駅利用者に注意喚起を促し、変更過渡期におけるスムーズな人流を実現する。図１０に示す例では、時間経過と共に北方向から南方向に表示が変更されるので、領域６１０を非通行領域として、人流を妨げない方向（本例では東）への人流を促すように表示装置１０５の表示を切り替える。
【００６２】
具体的には、人流制御装置１０３は、構内情報データ１０８の非通行領域判定が設定されている表示装置１０５について、構内情報データ１０８の前回表示方向と次回表示方向が一致する方向変更パターンデータを取得する。例えば、図８の領域５６０は北方向の矢印から南方向の矢印に表示内容が変更されるので、表示内容が１８０度変更される前に、９０度だけ方向を変更した矢印によって非通行領域を表示する方向変更パターンデータを取得する。
【００６３】
次に、人流制御装置１０３は、構内情報データ１０８の非通行領域判定が設定されている表示装置１０５について、構内情報データ１０８の配置場所を取得し、列（人流方向）毎の行（人流方向に垂直な方向）の数を計算する。そして、事前に指定した期間で、最初の列の表示装置１０５から順に非通行領域の方向を表示制御装置１０４に通知し、最後の列の表示装置１０５まで処理を行った後、非通行領域判定を解除にする。
【００６４】
所定の時間経過（例えば５分）を経て、図１１に示す領域６２０を通行領域として、表示装置１０５に南方向の矢印を表示する。さらに、領域６２０に隣接する領域６３０を非通行領域として、表示装置１０５に「→」又は「←」を表示する。
【００６５】
さらに、所定の時間経過（例えば５分）を経て、図１２に示す領域７１０を通行領域として、南方向の矢印を表示装置１０５に表示する。さらに、領域７１０に隣接する領域７２０を非通行領域として、表示装置１０５に「→」又は「←」を表示する。
【００６６】
さらに、所定の時間経過（例えば５分）を経て、図１３に示す領域７３０を通行領域として、南方向の矢印を表示装置１０５に表示する。
【００６７】
以上のように、人流の表示が大きな角度で変化する場合、表示装置１０５に非通行領域の表示をして、時間の経過に伴って非通行領域の位置を変化させることによって、スムーズな人流を実現する。
【００６８】
なお、非通行領域は、前述したように、人流を誘導する方向とは異なる方向の矢印（例えば、駅の利用者の移動しようとしている方向の人流に合流する方向の矢印）で表示してもよいが、駅の利用者が侵入をためらうような表示をしてもよい。
【００６９】
実施例２では、直感的なインターフェースを実現するため、通行領域、非通行領域の領域を用いるが、人流の誘導方向が変化する（すなわち非通行領域となりうる）領域５５０に表示装置１０５を設置し、人流の誘導方向が変化しない領域には表示装置１０５を設置しないことによって、設置コストを低減できる。
【００７０】
以上に説明したように、本発明の実施例２によると、通行領域及び非通行領域を動的に変更するので、視覚に訴える直感的なインターフェースによって、スムーズな人流を実現できる。
【００７１】
＜実施例３＞
実施例３は、非通行領域の制御方法が実施例２と異なる。なお、実施例３において、図１〜図７は前述した実施例１及び２と同じであり、相違点を主に説明する。
【００７２】
図１４、図１５は、駅のプラットホーム間の通路に設置された表示装置１０５による表示内容の変化を示す図である。
【００７３】
通常時は、図１４に示すように、各プラットホームへ出入りする乗客の人流の進行方向と、各プラットホームを接続する通路（跨線橋、地下通路など）を通行する乗客の人流の進行方向とを表示装置１０５が表示する。このとき、各プラットホームへ誘導する矢印には、誘導先の路線を意識させる色（例えば、路線図に使用される路線カラー）を用いるとよい。
【００７４】
Ａ線で輸送障害が発生した場合、Ａ線ホームには人が溢れ危険な状況となり、Ａ線から他線へ乗客を誘導する必要がある。このため、人流制御装置１０３は、Ａ線の輸送障害の情報を運行管理システム１１０から受信すると、図１５に示すように、Ａ線ホーム８１０に向かう領域８２０を非通行領域であると判定し、Ａ線ホーム８１０に乗客が立ち入らないように、Ａ線ホーム８１０から離れる方向の矢印を表示装置１０５に表示するよう表示制御装置１０４に指示して、人流を制御する。
【００７５】
実施例３において、非通行領域は、人流を他の方向に誘導する矢印で表示する他、利用者が侵入をためらう色（例えば赤色）で表示したり、バツ印（×）や進入禁止の道路標識を表示してもよい。
【００７６】
また、人流制御装置１０３は、Ａ線の輸送障害に伴い、Ｃ線からＢ線で振替輸送をする情報を運行管理システム１１０から受信すると、Ｃ線からＢ線への乗換通路（領域８３０）において、Ｃ線からＢ線への積極的な人流を促すために、Ｃ線ホームからＢ線ホームへ誘導する矢印を表示装置１０５に表示するよう表示制御装置１０４に指示して、人流を制御する。このとき、通常時とは別の色で矢印や背景を表示することによって、通常とは異なる状態であることを利用者に報知してもよい。
【００７７】
以上に説明したように、本発明の実施例３によると、輸送障害が発生した路線の発着場所に向かう通路を非通行領域にすることによって、人を立ち入らせないようにして、条約の安全を確保し、駅構内の混乱を抑制できる。また、振替輸送を行う路線への通行領域を動的に制御して、スムーズな人流を実現できる。
【００７８】
＜実施例４＞
実施例４は、非通行領域の制御方法が実施例２、３と異なる。なお、実施例４において、図１〜図７は前述した実施例１及び２と同じであり、相違点を主に説明する。
【００７９】
図１６〜図１８は、駅の改札口に設置された表示装置１０５による表示内容の変化を示す図である。
【００８０】
改札Ｃは、入場と出場とを切替可能な自動改札機であり、表示変更前では、図１６に示すように、駅中から駅外への出場方向で動作している。人流制御装置１０３は、改札制御装置１１１から改札Ｃの制御状態（入場、出場）を取得し、表示装置１０５が改札Ｃの前後の通路９１０、９２０の表示装置１０５に改札Ｃの制御状態に合致する方向（図では出場方向）の矢印を表示するよう表示制御装置１０４に指示して、人流を制御する。
【００８１】
その後、図１７に示すように、人流制御装置１０３は、改札制御装置１１１から改札Ｃの出場に変更されたことを受信し、表示装置１０５の方向の変更が必要であると判定する。改札Ｃが入場方向に変更された直後の変更過渡期では、改札Ｃの前後の通路９３０、９４０を非通行領域と判定し、通路９３０、９４０の表示装置１０５に他の改札に誘導する方向の矢印を表示するよう表示制御装置１０４に指示して、人流を制御する。
【００８２】
その後一定時間経過を経て、図１８に示すように、人流制御装置１０３は、改札Ｃの前後の通路９５０、９６０を通行領域と判定し、通路９５０、９３０の表示装置１０５に改札Ｃの制御状態に合致する方向（図では入場方向）の矢印を表示するよう表示制御装置１０４に指示して、人流を制御する。
【００８３】
実施例４においても、非通行領域は、人流を他の方向に誘導する矢印で表示する他の方法で表示してもよい。
【００８４】
以上に説明したように、本発明の実施例４によると、各改札の入場、出場の制御に伴って、改札口の動作方向を表示装置に表示するので、視覚に訴える直感的なインターフェースを提供して、利用者の混乱を抑制できる。特に、入場と出場の変更過渡期において、非通行領域と通行領域を動的に制御することによって、利用者の衝突を防止して、スムーズな人流を実現できる。
【００８５】
＜実施例５＞
実施例５は、非通行領域の制御方法が実施例２〜４と異なる。なお、実施例５において、図１〜図７は前述した実施例１及び２と同じであり、相違点を主に説明する。
【００８６】
図１９は、駅構内に設置された表示装置１０５による表示内容を示す図である。
【００８７】
実施例５では、駅構内の通路が交差する領域の中心部１０６０を非通行領域に設定する。このため、人流制御装置１０３は、非通行領域１０６０を囲むような人流を促す方向を算出する。そして、人流制御装置１０３は、非通行領域１０６０の表示装置１０５が非通行領域を表示するように、さらに、非通行領域１０６０の周囲の表示装置１０５が非通行領域１０６０を周回する方向の矢印を表示するよう表示制御装置１０４に指示して、人流を制御する。
【００８８】
この制御によって、この通路に進もうとする者１０１０は、非通行領域１０６０を超える直線的な移動ではなく、矢印１０２０、１０３０、１０４０、１０５０に沿って非通行領域１０６０の周囲を移動するような矢印を表示装置１０５が表示するよう表示制御装置１０４に指示して、人流を制御する。これによって、人が交差する地点でのスムーズな人流を実現する。
【００８９】
実施例５における非通行領域は、人流を他の方向に誘導する矢印で表示するのではなく、利用者が侵入をためらう色（例えば赤色）で表示したり、バツ印（×）や進入禁止の道路標識を表示するとよい。
【００９０】
以上に説明したように、本発明の実施例５によると、通路の交差部の中心領域を非通行領域に設定し、非通行領域の周りを周回する人流を促す方向を表示するように表示装置を制御するので、交差部にロータリーを形成して、交差する人の衝突を防止し、スムーズな人流を実現できる。
【００９１】
＜実施例６＞
実施例６は、非通行領域の制御方法が実施例２〜５と異なる。なお、実施例６において、図１〜図７は前述した実施例１及び２と同じであり、相違点を主に説明する。
【００９２】
図２０、図２１は、駅構内に設置された表示装置１０５による表示内容の変化を示す図である。
【００９３】
駅構内には、柱１１２０の周辺や壁１１５０の近傍などの、本来人流が少ない箇所がある。人流制御装置１０３は、これらの柱１１２０や壁１１５０と表示装置の１０５の設置場所との関係を受信すると、図２０に示すように、柱の周囲１１１０、１１３０や壁際１１４０などの人流を妨げない場所を非通行領域に設定し、設定された非通行領域（柱の周囲１１１０、１１３０、壁際１１４０など）の表示装置１０５に非通行領域を表示するよう表示制御装置１０４に指示して、人流を制御する。
【００９４】
また、閑散期においては、図２１に示すように、柱の周囲１１６０、１１７０や壁際１１８０など非通行領域を拡張し（例えば、人流と並行方向に非通行領域を拡張し）、設定された非通行領域（柱の周囲１１６０、１１７０、壁際１１８０など）の表示装置１０５に非通行領域を表示するよう表示制御装置１０４に指示して、人流を制御する。
【００９５】
実施例６では、柱の周囲や壁際など人流が少ない箇所を非通行領域に設定し、人が通行する領域と滞留する領域とを分けることによって、滞留している者が通行者を邪魔して、衝突を回避して、スムーズな人流を実現する。また、人流の多少によって非通行領域の大きさを変えるので、人流が少ない閑散期には、非通行領域の大きさを大きくして、滞留する人を的確に非通行領域に誘導し、スムーズな人流を実現できる。
【００９６】
実施例６における非通行領域は、人流を他の方向に誘導する矢印で表示するのではなく、利用者が侵入をためらう色（例えば赤色）で表示したり、バツ印（×）や進入禁止の道路標識を表示するとよい。
【００９７】
以上、本発明について、人の動き（人流）を制御するための表示をする実施例を説明したが、人以外の移動する物体（例えば、倉庫内の搬送車）の動きを制御してもよい。また、屋外においても、道路に配置された表示装置の表示を制御することによって、当該道路上を走行する車両の動きを制御してもよい。
【００９８】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【００９９】
また、前述した各構成、機能、処理部、処理手段等は、それらの一部又は全部を、例えば集積回路で設計する等により、ハードウェアで実現してもよく、プロセッサがそれぞれの機能を実現するプログラムを解釈し実行することにより、ソフトウェアで実現してもよい。
【０１００】
各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、又は、ＩＣカード、ＳＤカード、ＤＶＤ等の記録媒体に格納することができる。
【０１０１】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【０１０２】
１０１…映像取得装置、１０２…映像制御装置、１０３…人流制御装置、１０４…表示制御装置、１０５…表示装置、１０６…映像データ、１０７…人流統計データ、１０８…構内情報データ
【図１】
2019139498.tif 000003
【図２】
2019139498.tif 000004
【図３】
2019139498.tif 000005
【図４】
2019139498.tif 000006
【図５】
2019139498.tif 000007
【図６】
2019139498.tif 000008
【図７】
2019139498.tif 000009
【図８】
2019139498.tif 000010
【図９】
2019139498.tif 000011
【図１０】
2019139498.tif 000012
【図１１】
2019139498.tif 000013
【図１２】
2019139498.tif 000014
【図１３】
2019139498.tif 000015
【図１４】
2019139498.tif 000016
【図１５】
2019139498.tif 000017
【図１６】
2019139498.tif 000018
【図１７】
2019139498.tif 000019
【図１８】
2019139498.tif 000020
【図１９】
2019139498.tif 000021
【図２０】
2019139498.tif 000022
【図２１】
2019139498.tif 000023